(57)【要約】【課題】カバー体を必要に応じて本体上に取り付けたり、取り外したりすることができ、カバー体を、使用者が自身のニーズと好みに応じて自分で交換し、使用したい色とスタイルに組み合わせることができる衛星ナビゲータを提供する。【解決手段】本体２と、本体２の前面に重合されると共に本体２の側部外周を被覆するカバー体３とを含んで構成される。カバー体３の本体２に結合される位置に第１結合部３１が設けられ、本体２のカバー体３に結合される位置に第１相対結合部２１が設けられ、第１結合部３１と第１相対結合部２１とが着脱可能に係合されている。【選択図】図２
0003145719.tif 000002
【実用新案登録請求の範囲】
【請求項１】
本体と、前記本体の前面に重合されると共に前記本体の側部外周を被覆するカバー体とを含んで構成され、
前記カバー体の前記本体に結合される位置に第１結合部が設けられ、
前記本体の前記カバー体に結合される位置に第１相対結合部が設けられ、
前記カバー体の前記第１結合部と前記本体の前記第１相対結合部とが着脱可能に係合された、
ことを特徴とする衛星ナビゲータ。
【請求項２】
本体と、前記本体の背面に重合される後ろカバー体とを含んで構成され、
前記後ろカバー体の前記本体に結合される位置に第２結合部が設けられ、
前記本体の前記後ろカバー体に結合される位置に第２相対結合部が設けられ、
前記後ろカバー体の前記第２結合部と前記本体の前記第２相対結合部とが着脱可能に係合された、
ことを特徴とする衛星ナビゲータ。
【請求項３】
請求項１に記載の衛星ナビゲータにおいて、
前記カバー体とは別に、前記本体の背面に重合される後ろカバー体を含んで構成され、
前記後ろカバー体の前記本体に結合される位置に第２結合部が設けられ、
前記本体の前記後ろカバー体に結合される位置に第２相対結合部が設けられ、
前記後ろカバー体の前記第２結合部と前記本体の前記第２相対結合部とが着脱可能に係合された、
ことを特徴とする衛星ナビゲータ。
【請求項４】
前記カバー体の上部に前方に向けて延伸された庇部が設けられた、
ことを特徴とする請求項１又は３に記載の衛星ナビゲータ。
【請求項５】
前記第１相対結合部と、前記第１結合部とが互いに着脱可能に凹凸嵌合される、
ことを特徴とする請求項１又は３に記載の衛星ナビゲータ。
【請求項６】
前記第２相対結合部と、前記第２結合部とが互いに着脱可能に凹凸嵌合される、
ことを特徴とする請求項２又は３に記載の衛星ナビゲータ。
【請求項７】
前記第１相対結合部と前記第１結合部とが互いに吸引し合う磁性体で構成されている、
ことを特徴とする請求項１又は３に記載の衛星ナビゲータ。
【請求項８】
前記第２相対結合部と前記第２結合部とが互いに吸引し合う磁性体で構成されている、
ことを特徴とする請求項２又は３に記載の衛星ナビゲータ。
【請求項９】
前記第１相対結合部と前記第１結合部とが互いに螺合し合うねじ部材とねじ孔部で構成されている、
ことを特徴とする請求項１又は３に記載の衛星ナビゲータ。
【請求項１０】
前記第２相対結合部と前記第２結合部とが互いに螺合し合うねじ部材とねじ孔部で構成されている、
ことを特徴とする請求項２又は３に記載の衛星ナビゲータ。
【請求項１１】
前記第１相対結合部と前記第１結合部とが互いに掛止し合う掛止結合部と掛止相対結合部とで構成されている、
ことを特徴とする請求項１又は３に記載の衛星ナビゲータ。
【請求項１２】
前記第２相対結合部と前記第２結合部とが互いに掛止し合う掛止結合部と掛止相対結合部とで構成されている、
ことを特徴とする請求項２又は３に記載の衛星ナビゲータ。
【請求項１３】
前記カバー体上に入力ユニットが設けられ、前記入力ユニットの入力信号が前記本体に伝送されて使用可能とされた、
ことを特徴とする請求項１又は３に記載の衛星ナビゲータ。
【考案の詳細な説明】
【技術分野】
【０００１】
本考案は、特に、使用者のニーズと好みに合わせて自ら色とスタイルを変えることができる衛星ナビゲータに関する。
【背景技術】
【０００２】
現今の生活において、多くの電子設備が絶え間なく市場に送り出されており、例えば、衛星ナビゲーション装置（以下、衛星ナビゲータという）、携帯電話等は人々の生活の中で多くの利便性を提供している電子デバイスである。
【０００３】
また科学技術の進歩に伴い、多くの生活に利便性を提供する電子製品も同時に進歩を続けており、衛星ナビゲータの技術も大きな発展を遂げている。衛星ナビゲータのメーカーは、消費者のニーズに応えるため、製品の機能を絶え間なく向上させており、ナビゲーションの品質、操作インターフェース、ディスプレイ画面、装置の大きさ等の面で改良を行い、同時に軽くて薄い小型の衛星ナビゲーション装置を設計している。
【０００４】
各衛星ナビゲータメーカーが製品の機能、装置の大きさにおいて達成することのできる技術レベルの差異が大きくないとき、消費者が注意するのは全体のスタイルであり、市場の衛星ナビゲータのカバーの組み立ては、すべて本体を被覆して結合固定されており、ほとんどが前カバーと後ろカバーで本体を被覆し、さらに前カバーと後ろカバーを結合固定して成る。
【考案の開示】
【考案が解決しようとする課題】
【０００５】
メーカーは、その製造工程で、自ら配色とスタイルを選択するか、或いは消費者のニーズに対応して設計を行っており、消費者が自らカバー体のスタイルを交換できる設計はなされておらず、また使用者は好みに応じて組み合わせるカバー体の色を選択することもできない。
【０００６】
そこで、本考案は、これに鑑みてなされたもので、その目的は、本体と、本体の前面に重合されると共に本体の側部外周を被覆するカバー体とを含んで構成され、前記カバー体は本体と結合される位置に結合部が設けられ、前記本体はカバー体と結合される位置に相対結合部が設けられ、前記相対結合部と結合部との間は着脱を容易に行うことができ、前記カバー体を必要に応じて本体上に取り付けたり、取り外したりすることができ、従来の衛星ナビゲータにおいて自らカバー体を交換することができないという問題点を解消し、衛星ナビゲータのカバー体を、使用者が自身のニーズと好みに応じて自分で交換し、使用したい色とスタイルに組み合わせることができるという実用性と進歩性を備えた衛星ナビゲータを提供することにある。
【０００７】
本考案の別の目的は、前記本体の背面に重合される後ろカバー体を含み、本体が後ろカバー体に結合され、後ろカバー体の本体に結合される位置に結合部が設けられ、前記本体の後ろカバー体に結合される位置に相対結合部が設けられ、前記相対結合部と結合部間は着脱が便利であり、後ろカバー体を必要に応じて本体に取り付けたり、取り外したりすることができ、これにより、従来の衛星ナビゲータにおいて自ら後ろカバー体を交換することができないという問題点を解消し、衛星ナビゲータの後ろカバー体を使用者がニーズと好みに応じてそれぞれ自分で交換し、使用したい色とスタイルに組み合わせることができるという実用性と進歩性を備えた衛星ナビゲータを提供することにある。
【０００８】
本考案のさらに別の目的は、カバー体上側に庇部が設けられ、庇部が前方に向けて延伸され、庇部は直接パネルに照射しようとする日光を効果的に防ぎ、パネルが日光の照射を受けて画面表示効果が優れなくなることがないよう防止し、実用性と進歩性を備えた衛星ナビゲータを提供することにある。
【課題を解決するための手段】
【０００９】
請求項１に係る衛星ナビゲータは、上記課題を解決するために、本体と、前記本体の前面に重合されると共に前記本体の側部外周を被覆するカバー体とを含んで構成され、前記カバー体の前記本体に結合される位置に第１結合部が設けられ、前記本体の前記カバー体に結合される位置に第１相対結合部が設けられ、前記カバー体の前記第１結合部と前記本体の前記第１相対結合部とが着脱可能に係合されたことを特徴とするものである。
【００１０】
請求項２に係る衛星ナビゲータは、上記課題を解決するために、本体と、前記本体の背面に重合される後ろカバー体とを含んで構成され、前記後ろカバー体の前記本体に結合される位置に第２結合部が設けられ、前記本体の前記後ろカバー体に結合される位置に第２相対結合部が設けられ、前記後ろカバー体の前記第２結合部と前記本体の前記第２相対結合部とが着脱可能に係合されたことを特徴とするものである。
【００１１】
請求項３に係る衛星ナビゲータは、請求項１に係る衛星ナビゲータにおいて、前記カバー体とは別に、前記本体の背面に重合される後ろカバー体を含んで構成され、前記後ろカバー体の前記本体に結合される位置に第２結合部が設けられ、前記本体の前記後ろカバー体に結合される位置に第２相対結合部が設けられ、前記後ろカバー体の前記第２結合部と前記本体の前記第２相対結合部とが着脱可能に係合されたことを特徴とするものである。
【００１２】
請求項４に係る衛星ナビゲータは、請求項１又は３に係る衛星ナビゲータにおいて、前記カバー体の上部に前方に向けて延伸された庇部が設けられたことを特徴とするものである。
【００１３】
請求項５に係る衛星ナビゲータは、請求項１又は３に係る衛星ナビゲータにおいて、前記第１相対結合部と、前記第１結合部とが互いに着脱可能に凹凸嵌合されることを特徴とするものである。
【００１４】
請求項６に係る衛星ナビゲータは、請求項２又は３に係る衛星ナビゲータにおいて、前記第２相対結合部と、前記第２結合部とが互いに着脱可能に凹凸嵌合されることを特徴とするものである。
【００１５】
請求項７に係る衛星ナビゲータは、請求項１又は３に係る衛星ナビゲータにおいて、前記第１相対結合部と前記第１結合部とが互いに吸引し合う磁性体で構成されていることを特徴とするものである。
【００１６】
請求項８に係る衛星ナビゲータは、請求項２又は３に係る衛星ナビゲータにおいて、前記第２相対結合部と前記第２結合部とが互いに吸引し合う磁性体で構成されていることを特徴とするものである。
【００１７】
請求項９に係る衛星ナビゲータは、請求項１又は３に係る衛星ナビゲータにおいて、前記第１相対結合部と前記第１結合部とが互いに螺合し合うねじ部材とねじ孔部で構成されていることを特徴とするものである。
【００１８】
請求項１０に係る衛星ナビゲータは、請求項２又は３に係る衛星ナビゲータにおいて、前記第２相対結合部と前記第２結合部とが互いに螺合し合うねじ部材とねじ孔部で構成されていることを特徴とするものである。
【００１９】
請求項１１に係る衛星ナビゲータは、請求項１又は３に係る衛星ナビゲータにおいて、前記第１相対結合部と前記第１結合部とが互いに掛止し合う掛止結合部と掛止相対結合部とで構成されていることを特徴とするものである。
【００２０】
請求項１２に係る衛星ナビゲータは、請求項２又は３に係る衛星ナビゲータにおいて、前記第２相対結合部と前記第２結合部とが互いに掛止し合う掛止結合部と掛止相対結合部とで構成されていることを特徴とするものである。
【００２１】
請求項１３に係る衛星ナビゲータは、請求項１又は３に係る衛星ナビゲータにおいて、前記カバー体上に入力ユニットが設けられ、前記入力ユニットの入力信号が前記本体に伝送されて使用可能とされたことを特徴とするものである。
【考案の効果】
【００２２】
請求項１に係る衛星ナビゲータによれば、カバー体の本体に結合される位置に第１結合部が設けられ、本体のカバー体に結合される位置に第１相対結合部が設けられ、第１相対結合部と第１結合部とが着脱可能に係合された構造であるので、カバー体を必要に応じて本体上に取り付け、衛星ナビゲータのカバー体を使用者のニーズと好みに応じて自身で交換し、使用したい色やスタイルを組み合わせることができる。
【００２３】
請求項２に係る衛星ナビゲータによれば、本体と、本体の背面に重合される後ろカバー体とを含んで構成され、後ろカバー体の本体に結合される位置に第２結合部が設けられ、本体の後ろカバー体に結合される位置に第２相対結合部が設けられ、後ろカバー体の第２結合部と本体の第２相対結合部とが着脱可能に係合された構造であるので、後ろカバー体を必要に応じて本体上に取り付け、後ろカバー体を使用者のニーズと好みに応じてそれぞれ自身で交換し、使用したい色やスタイルを組み合わせることができる。
【００２４】
請求項３に係る衛星ナビゲータによれば、本体と、本体の前面に重合されると共に前記本体の側部外周を被覆するカバー体と、カバー体とは別に、本体の背面に重合される後ろカバー体とを含んで構成され、カバー体の本体に結合される位置に第１結合部が設けられ、本体のカバー体に結合される位置に第１相対結合部が設けられ、カバー体の第１結合部と本体の第１相対結合部とが着脱可能に係合され、後ろカバー体の本体に結合される位置に第２結合部が設けられ、本体の後ろカバー体に結合される位置に第２相対結合部が設けられ、後ろカバー体の第２結合部と本体の第２相対結合部とが着脱可能に係合された構造であるので、カバー体と後ろカバー体とを必要に応じて同時に本体上に取り付け、カバー体と後ろカバー体を使用者のニーズと好みに応じてそれぞれ自身で交換し、使用したい色やスタイルを組み合わせることができる。
【００２５】
請求項４に係る衛星ナビゲータによれば、カバー体の上部に前方に向けて延伸された庇部が設けられているので、使用者が衛星ナビゲータを使用するとき、庇部が直接画面上に照射しようとする日光を遮ることになり、画面が日光の照射を受けて表示効果が優れなくなる問題を回避することができる。
【考案を実施するための最良の形態】
【００２６】
以下、本考案の実施の形態を図面を参照して説明する。図１は本考案の第１実施形態に係る衛星ナビゲータを示す斜視図であり、図２は図１の衛星ナビゲータを分解して示す斜視図である。図１〜図２に示すように、本考案の第１実施形態に係る衛星ナビゲータ１は、略矩形状の本体２と、本体２の前面に重合されると共に本体２の側部外周を被覆する正面視において略矩形状をなしたカバー体３とを含んで構成されている。カバー体３の本体２に結合される位置には（カバー体３の裏面の四隅には）第１結合部３１が設けられ、本体２のカバー体３に結合される位置には（本体２の前面の四隅には）第１相対結合部２１が設けられ、カバー体３の第１結合部３１と本体２の第１相対結合部２１とが着脱可能に係合されている。また、カバー体３の上部に前方に向けて延伸された庇部３２が設けられている。
【００２７】
第１実施形態の衛星ナビゲータ１の使用時の状況について以下で説明する。図３は第１実施形態に係る衛星ナビゲータにおけるカバー体の取り外しを示す斜視図である。図４は図３の衛星ナビゲータにおける別のカバー体の取り付けを示す斜視図である。また、図５は図３の衛星ナビゲータにおけるさらに別のカバー体の取り付けを示す斜視図である。
【００２８】
図３に示すように、カバー体３の第１結合部３１と本体２の第１相対結合部２１とが着脱可能に係合されている構造であるので、カバー体３を本体２の前面から取り外すことができる。図４に示すカバー体３は、本体２の側部外周を被覆する枠部分の表面全体に、星柄のデザインが施されたものである。また、図５に示すカバー体３は、本体２の側部外周を被覆する枠部分の上部の上面に、車を模したキャラクタが取り付けられたものである。カバー体３の第１結合部３１を本体２の第１相対結合部２１に結合させると、異なる色やスタイルのカバー体３を本体２上に取り付けることができ、使用者は本体２の前面の外観とスタイルを自身のニーズと好みに応じて自分で交換することができる。
【００２９】
なお、図３に示すように、本体２の第１相対結合部２１は柱状の係合突起で形成され、カバー体３の第１結合部３１は前記係合突起が嵌り込む係合孔で形成されている。第１相対結合部２１並びに第１結合部３１は、互いに着脱可能に凹凸嵌合される構造の他に、互いに吸引し合う磁性体で構成してもよいし、互いに螺合し合うねじ部材とねじ孔部で構成してもよいし、互いに掛止し合う掛止結合部と掛止相対結合部とで構成してもよい。
【００３０】
図６は本考案の第２実施形態に係る衛星ナビゲータを分解して示す斜視図である。また、図７は図６の衛星ナビゲータにおける別のカバー体の取り付けを示す斜視図である。さらに、図８は図６の衛星ナビゲータにおけるさらに別のカバー体の取り付けを示す斜視図である。
【００３１】
図６〜図８に示すように、第２実施形態に係る衛星ナビゲータは、略矩形状の本体２と、本体２の背面に重合される正面視において略矩形状の後ろカバー体４とを含んで構成されている。後ろカバー体４の本体２に結合される位置に第２結合部４１が設けられ、本体２の後ろカバー体４に結合される位置に第２相対結合部２２が設けられ、後ろカバー体４の第２結合部４１と本体２の第２相対結合部２２とが着脱可能に係合されている。
【００３２】
図７に示す後ろカバー体４は、本体２の周縁に沿って配置される枠部分の表面全体に、星柄のデザインが施されたものである。また、図８に示すカバー体３は、枠部分の上部の上面に、車を模したキャラクタが取り付けられたものである。第２結合部４１を本体２の第２相対結合部２２に結合させると、異なる色やスタイルのカバー体３を本体２上に取り付けることができ、使用者は本体２の後部の外観とスタイルを自身のニーズと好みに応じて自分で交換することができる。
【００３３】
なお、図６に示すように、本体２の第２相対結合部２２は柱状の係合突起で形成され、後ろカバー体４の第２結合部４１は前記係合突起が嵌り込む係合孔で形成されている。第２相対結合部２２並びに第２結合部４１は、互いに着脱可能に凹凸嵌合される構造の他に、互いに吸引し合う磁性体で構成してもよいし、互いに螺合し合うねじ部材とねじ孔部で構成してもよいし、互いに掛止し合う掛止結合部と掛止相対結合部とで構成してもよい。
【００３４】
図９は本考案の第１実施形態に係る衛星ナビゲータにおけるカバー体の変形実施形態を示す斜視図である。また、図１０は図９の衛星ナビゲータにおける別のカバー体の取り付けを示す斜視図である。さらに、図１１は図９の衛星ナビゲータにおけるさらに別のカバー体の取り付けを示す斜視図である。図９〜図１１に示すカバー体は、前後方向の厚み寸法が図３〜図５のカバー体よりも大きい点だけが異なり、その他の構造は図３〜図５のカバー体と同じであるため、詳細な説明は省略する。カバー体３の第１結合部３１を本体２の第１相対結合部２１に結合させると、異なる色やスタイルのカバー体３を本体２上に取り付けることができ、使用者は本体２の前面の外観とスタイルを自身のニーズと好みに応じて自分で交換することができる。
【００３５】
図１２は本考案の第３実施形態に係る衛星ナビゲータを分解して示す斜視図である。また、図１３は図１２の衛星ナビゲータにおける別のカバー体並びに別の後ろカバー体の取り付けを示す斜視図である。図１２〜図１３に示すように、第３実施形態に係る衛星ナビゲータは、正面視において略矩形状の本体２と、本体２の前面に重合されると共に本体２の側部外周を被覆するカバー体３と、カバー体３とは別に、本体２の背面に重合される後ろカバー体４とを含んで構成されている。
【００３６】
カバー体３の本体２に結合される位置に（カバー体３の裏面の四隅に）第１結合部３１が設けられ、本体２のカバー体３に結合される位置に（本体２の前面の四隅に）第１相対結合部２１が設けられ、カバー体３の第１結合部３１と本体２の第１相対結合部２１とが着脱可能に係合されている。
【００３７】
また、後ろカバー体４の本体２に結合される位置に（後ろカバー体４の前面の四隅に）第２結合部４１が設けられ、本体２の後ろカバー体４に結合される位置に（本体２の背面の四隅に）第２相対結合部２２が設けられ、後ろカバー体４の第２結合部４１と本体２の第２相対結合部２２とが着脱可能に係合されている。以上に説明した構造であるので、カバー体３と後ろカバー体４とを必要に応じて同時に本体２上に取り付け、カバー体３と後ろカバー体４を使用者のニーズと好みに応じてそれぞれ自身で交換し、使用したい色やスタイルを組み合わせることができる。
【００３８】
なお、図１２に示すように、本体２の第１相対結合部２１は柱状の係合突起で形成され、カバー体３の第１結合部３１は前記係合突起が嵌り込む係合孔で形成されている。第１相対結合部２１並びに第１結合部３１は、互いに着脱可能に凹凸嵌合される構造の他に、互いに吸引し合う磁性体で構成してもよいし、互いに螺合し合うねじ部材とねじ孔部で構成してもよいし、互いに掛止し合う掛止結合部と掛止相対結合部とで構成してもよい。
【００３９】
また、図１２に示すように、本体２の第２相対結合部２２は柱状の係合突起で形成され、後ろカバー体４の第２結合部４１は前記係合突起が嵌り込む係合孔で形成されている。第２相対結合部２２並びに第２結合部４１は、互いに着脱可能に凹凸嵌合される構造の他に、互いに吸引し合う磁性体で構成してもよいし、互いに螺合し合うねじ部材とねじ孔部で構成してもよいし、互いに掛止し合う掛止結合部と掛止相対結合部とで構成してもよい。
【００４０】
図１４は日光照射下での衛星ナビゲータの使用状態を示す斜視図である。カバー体３の上部に前方に向けて延伸された庇部３２が設けられているので、使用者が衛星ナビゲータ１を使用するとき、庇部３２が直接画面上に照射しようとする日光を遮ることになり、画面が日光の照射を受けて表示効果が優れなくなる問題を回避することができる。
【００４１】
図１５は本考案の第４実施形態に係る衛星ナビゲータの斜視図である。第４実施形態に係る衛星ナビゲータは、カバー体３上に入力ユニット５が設けられている。入力ユニット５の入力信号は伝送インターフェース（図示せず）を介して本体２に伝送し、使用することができる。
【図面の簡単な説明】
【００４２】
【図１】本考案の第１実施形態に係る衛星ナビゲータの斜視図である。
【図２】図１の衛星ナビゲータを分解して示す斜視図である。
【図３】本考案の第１実施形態に係る衛星ナビゲータにおけるカバー体の取り外しを示す斜視図である。
【図４】図３の衛星ナビゲータにおける別のカバー体の取り付けを示す斜視図である。
【図５】図３の衛星ナビゲータにおけるさらに別のカバー体の取り付けを示す斜視図である。
【図６】本考案の第２実施形態に係る衛星ナビゲータを分解して示す斜視図である。
【図７】図６の衛星ナビゲータにおける別のカバー体の取り付けを示す斜視図である。
【図８】図６の衛星ナビゲータにおけるさらに別のカバー体の取り付けを示す斜視図である。
【図９】本考案の第１実施形態に係る衛星ナビゲータにおけるカバー体の変形実施形態を示す斜視図である。
【図１０】図９の衛星ナビゲータにおける別のカバー体の取り付けを示す斜視図である。
【図１１】図９の衛星ナビゲータにおけるさらに別のカバー体の取り付けを示す斜視図である。
【図１２】本考案の第３実施形態に係る衛星ナビゲータを分解して示す斜視図である。
【図１３】図１２の衛星ナビゲータにおける別のカバー体並びに別の後ろカバー体の取り付けを示す斜視図である。
【図１４】日光照射下での衛星ナビゲータの使用状態を示す斜視図である。
【図１５】本考案の第４実施形態に係る衛星ナビゲータの斜視図である。
【符号の説明】
【００４３】
１  衛星ナビゲータ
２  本体
２１  第１相対結合部
２２  第２相対結合部
３  カバー体
３１  第１結合部
３２  庇部
４  後ろカバー体
４１  第２結合部
５  入力ユニット
【図１】
0003145719.tif 000003
【図２】
0003145719.tif 000004
【図３】
0003145719.tif 000005
【図４】
0003145719.tif 000006
【図５】
0003145719.tif 000007
【図６】
0003145719.tif 000008
【図７】
0003145719.tif 000009
【図８】
0003145719.tif 000010
【図９】
0003145719.tif 000011
【図１０】
0003145719.tif 000012
【図１１】
0003145719.tif 000013
【図１２】
0003145719.tif 000014
【図１３】
0003145719.tif 000015
【図１４】
0003145719.tif 000016
【図１５】
0003145719.tif 000017